(57)【要約】【課題】  梱包具の組み立て作業時に生じるフィルムの反発力の作用を阻止する。【解決手段】  方形のベースボード１と弾力性を有するフィルム６との組合せからなり、箱型に組み立てられた対の組立体１２ｕ、１２ｄを用いてフレーム２に張られたフィルム６間に物品１３を挟んで外箱１４内に格納する物品運送用梱包具である。ストッパ１０は、サポート部分３ａ，３ｂの板面に、サポート部分３ａ，３ｂを区画する折曲線４ａ，４ｂと平行に付された第１の切り込み線１１ａと、該第１の切り込み線１１ａの両端位置に対応してフレーム２の板面から端を発し、前記第１の切り込み線１１ａに達する第２の切り込み線１１ｂとによって三方が囲まれ、サポート部分３ａ，３ｂを折曲した際に、形成される隙間から側方に突出してサポート部分３ａ，３ｂを支え、これを折曲姿勢に保たせ、フィルム６の反発力の作用を阻止する。【選択図】  図２
2008260559.tif 000002
【特許請求の範囲】
【請求項１】
方形のベースボードと弾力性を有するフィルムとの組合せからなる物品運送用梱包具であって、
前記ベースボードは、中央領域に開口を有するフレームと、その四周のサポート部分とに区画され、
前記フィルムは、前記フレームの開口を覆って物品を支えるものであり、
前記フレームは、前記フィルムの取付枠であり、ストッパを有し、
前記サポート部分は、前記フレームに対して直角に折り曲げられ、前記フレームの四周に一定高さの周壁を形成するものであり、
前記ストッパは、前記ベースボードを折り曲げて前記サポート部分を形成する際に、前記サポート部分の一部を支えてこれを折曲された姿勢に保持させるものであり、
前記ベースボードは、前記フレームの四周に周壁を有する箱形に組立てられ、
組立てられた対の組立体は、それぞれの前記フレームに張られた前記フィルム間に物品を挟んで外箱内に格納するものであることを特徴とする物品運送用梱包具。
【請求項２】
前記ストッパは、前記サポート部分の板面に、該サポート部分を区画する折曲線と平行に付された第１の切り込み線と、該第１の切り込み線の両端位置に対応して前記フレームの板面から端を発し、前記第１の切り込み線に達する第２の切り込み線とによって三方が囲まれ、前記サポート部分が折曲された際に、前記第１及び第２の切り込み線間に形成される隙間内に張り出し、前記サポート部分を支えてこれを折曲の姿勢に保たせるものであることを特徴とする請求項１に記載の物品運送用梱包具。
【請求項３】
前記第１の切り込み線は、前記ベースボードに引かれた前記サポート部分の折曲線から前記ベースボードの厚みに相当する長さを置いて前記サポート部分の板面に前記サポート部分の折曲線と平行に引かれているものであることを特徴とする請求項２に記載の物品運送用梱包具。
【請求項４】
前記ストッパは、前記フレームの各辺に一定間隔を置いて数箇所に形成されているものであることを特徴とする請求項１または２の何れか１つに記載の物品運送用梱包具。
【請求項５】
前記フィルムは、前記フレームを覆い、その端縁はその四周の前期サポート部分に跨って貼り付けられ、前記ストッパの一部は、前記サポート部分の折り曲げに伴って前記サポート部分の板面から張り出し、前記フレームに張られた前記フィルムを緊張させるものであることを特徴とする請求項１に記載の物品運送用梱包具。
【請求項６】
前記サポート部分は、前記フレーム両側の側部サポート部分と、前記フレーム前後の端部サポート部分であり、前記ベースボードの四隅は、前記端部サポート部分から切り離して折り返し部として前記側部サポート部分の延長上に形成され、
前記側部サポート部分から外方に張り出した前記ストッパの一部は、折り曲げによって前記フィルムを前記フレームの両側方向に緊張させ、
前記端部サポート部分から外方に張り出した前記ストッパの一部は、折り曲げによって前記フィルムを前記フレームの前後方向に緊張させ、
折り返された前記側部サポート部分と前記端部サポート部分とは、前記折り返し部を介して連結されるものであることを特徴とする請求項５に記載の物品運送用梱包具。
【発明の詳細な説明】
【技術分野】
【０００１】
本発明は各種の物品を格納して運搬する物品運送用梱包具、特に宅配便に好適な物品運送用梱包具に関する。
【背景技術】
【０００２】
従来より、物品の輸送用梱包具として例えば、図５に示すように板面の中央開口２１をしなやかで伸縮性を有するフィルム２２で覆った固いフレーム２３、２３の対を用い、対のフレーム２３、２３間に物品をはさみ、これを外箱２４内に収め、物品２５を衝撃から保護する梱包具が知られている（特許文献１参照）。上記梱包具によるときには、対のフレーム２３、２３にダンボール紙を用い、その四周縁を予め板面に付された折曲線２６に沿って個別に折り返し、その連結部分をフィルム２２による物品２５のサポート部分２７とし、両フレーム２３、２３間に物品２５を挟んで図６に示すようにこれを外箱２４内に収納することによって物品２５を梱包するものであり、梱包された物品２５は、フレーム２３の四周に形成されるサポート部分２７の高さに相当する位置で外箱２４の底部２８及び蓋部２９から距離を置いて外箱２４内に収納され、外箱２４の上下から加えられるかもしれない衝撃から物品２５を有効に保護することができる。
【０００３】
ところで、物品２５の梱包に際しては、特許文献１に記載の梱包具に限らず、一般には、フレーム２３の四周にサポート部分２７を有する平板状の２枚のベースボード３０、３０と、組立て式の外箱２４とを作業現場に持ち込み、現場でベースボード３０を折曲して中央のフレーム２３の四周にサポート部分２７を形成されるのが通例であるが特許文献１に記載の梱包具では、図５を見て分かるように、フレーム２３の開口２１を覆うフィルム２２は、フレーム２３の折曲線２６を越えてその外縁が四周のサポート部分２７に跨って接着されているため、折曲線２６に沿ってサポート部分２７を折り返したときに、連結部分にフィルム２２の復元力が作用して元の平面に戻ろうとするという問題がある。このため、作業者は、各辺の連結部分が平面に戻らないようにサポート部分２７を抑えながら、梱包具を一定の立体形状に保形して両手を使って物品２５の収納作業を行わなければならず、実際には、その梱包作業は必ずしも簡単ではなかった。
【特許文献１】ＵＳＰ４，８５２，７４３号明細書
【発明の開示】
【発明が解決しようとする課題】
【０００４】
解決しようとする問題点は、現場でベースボードを折曲してフレームの四周にサポート部分を形成しようとして折曲線に沿ってベースボードを折り返したときに、その連結部分が平面に戻らないように抑えながら、物品の収納作業を行わなければならないため、格納作業が必ずしも容易ではなかった点である。
【課題を解決するための手段】
【０００５】
本発明は、ベースボードを折曲線に沿ってサポート部分を折り返したときに、フィルムの復元力がサポート部分に作用しても、サポート部分は、折り返した状態に保たれるようにした点を最も主要な特徴とする。
【発明の効果】
【０００６】
フレームの四周のサポート部分をベースボードに付された折曲線に沿って折り返すと、折曲線の一部に形成されたストッパの端縁がストッパの部分の切欠きによって形成された隙間内に張り出し、サポート部分は、ストッパの端縁に支えられてフレームから折り返されたままの姿勢を保つため、従来のようにサポート部分が平面に戻らないように手で抑えながら作業を行う必要がなく、したがって物品の収納作業を容易に行うことができる。
【０００７】
また、ストッパの端縁は、サポート部分の板面から外方に張り出してフィルムを支え、その突出分だけフィルムを緊張させるため、対の梱包具間に物品を押し付ける力が高まり、したがって、対の梱包具間に物品を挟んで外箱内に格納したときには、外箱内で物品に横ずれを生じさせることなく、対の梱包具間に安定に定着させることができる。
【発明を実施するための最良の形態】
【０００８】
ベースボードを折り曲げて中央のフレームに対し、サポート部分をほぼ直角に折曲したあと、その折り曲げ状態を保形させるという目的を他に特別の部品を付加することなく、ベースボードに付されたサポート部分の折曲線の一部に切欠きを付すだけで実現した。
【実施例１】
【０００９】
本発明による物品運送用梱包具は、フレームの開口部にフィルムを貼り渡した対の梱包具の組立体を内装材とし、両組立体間に物品を挟んでこれを外箱内に収容するものである。
【００１０】
本発明は、ウレタン樹脂などの伸縮性に優れたフィルムを開口部に張り渡したダンボール紙製の２枚のベースボードを用い、このベースボードを折曲加工して組み立てるものである。梱包する物品は、平らな物品に限らず、背の高い物品であってもよい。またフィルムには透明フィルムを用いることによって物品を透視することができる。しかし、物品を梱包する機能からみれば、フイルムの透明、不透明は問題ではない。
【００１１】
図１に本発明の梱包具を構成する組立体に組立てるベースボードを示す。図１において、ベースボード１は段ボール紙である。紙面を中央領域のフレーム２の部分と、フレーム２の四周のサポート部分（３ａ、３ａ及び３ｂ、３ｂ）とに区画されている。この実施例においてはベースボード１に長方形の段ボール紙を用いている。
【００１２】
フレーム２の外側の部分は、フレームのサポート部分である。サポート部分は、フレームの四周に一定高さの周壁を形成する部分である。以下説明の都合上、フレームの長辺の外側に形成されるサポート部分を側部サポート部分３ａとし、フレームの短辺の外側に形成されるサポート部分を端部サポート部分３ｂとして区別する。側部サポート部分３ａは、側部折曲線４ａによってフレーム２から区画され、端部サポート部分３ｂは、端部折曲線４ｂによってフレーム２から区画されている
【００１３】
フレーム２には、その中央に開口５が形成され、該開口５は、フレーム２の表面にあてがわれた、透明なポリウレタンフィルムなどの伸縮性、弾性に優れたフィルム６によって覆われ、フィルム６の外縁はフレーム２の側部ならびに端部折曲線４ａ、４ｂをまたいで、側部サポート部分３ａおよび端部サポート部分３ｂの板面に熱溶着によって接着されている。もっとも、フィルム６の接着は必ずしも熱溶着に限らす、接着剤あるいは接着テープを用いてサポート部分に接着されてもよい。
【００１４】
側部折曲線４ａと端部折曲線４ｂとが交差するベースボード１の四隅については、ベースボード１の端縁から側部折曲線４ａに向けて端部折曲線４ｂにまで達する切込み７が付され、四隅を端部サポート部分４ｂの形成部分から切り離すととともに、端部折曲線４ｂの延長上の折曲線４ｃを側部サポート部分３ａの形成部分に付し、側部サポート部分３ａの両端に連結部分３ｃを形成する。連結部分３ｃには、側部サポート部分３ａと、端部サポート部分３ｂとを連結する手段として側部サポート部分３ａの形成側の端縁から一定の深さに切り欠いて台形の嵌合溝８が形成され、この嵌合溝８の位置に対応して端部サポート部分３ｂには、その端縁から間隔が狭まる方向に一定深さに切り込んでこの嵌合溝８に嵌り合う舌状部９が形成されている。
【００１５】
本発明においては、中央領域のフレーム２の部分と、フレーム２の四周のサポート部分（３ａ、３ａ及び３ｂ、３ｂ）とに区画したベースボード１の板面にさらにサポート部分を支えるストッパ１０を形成したものである。以下の説明では、主として側部サポート部分３ａを支えるストッパについて説明するが、これは端部サポート部分を支えるストッパについても機能は全く同じである。ストッパ１０は、図２（ａ）に示すように側部サポート部分３ａの板面に、側部折曲線４ａと平行に引かれた第１の切り込み線１１ａと、該第１の切り込み線１１ａの両端位置に対応してフレーム２の板面から端を発し、前記第１の切り込み線１１ａに達する第２の切り込み線１１ｂとによって三方が囲まれ、フレーム２側から側部サポート部分３ａ側に延長して形成された部分である。
【００１６】
ストッパ１０は、側部折曲線４ａに沿って側部サポート部分３ａをフレーム２の面に対して直角に折り曲げたときに、側部折曲線４ａと第１の切り込み線１１ａとの隙間内に張り出し、さらにその一部は図２、（ａ）、（ｂ）に示すように隙間内からさらに板面上に張り出してストッパ１０によって切り欠かれた側部サポート部分３ａの端縁を支える。側部折曲線４ａと第１の切り込み線１１ａとの間隔が広すぎると、ストッパ１０と、切り欠かれた側部サポート部分３ａの切欠きの端縁間に隙間ができてストッパとして機能しなくなる。実用上は、第１の切り込み線１１ａは、ベースボード１に引かれたサポート部分３ａの折曲線からベースボードの厚みをわずかに越える長さの距離を置いてサポート部分３ａの板面に前記サポート部分３ａの折曲線４ａと平行に側部サポート部分３ａの板面に引かれているのが望ましい。
【００１７】
以上、側部サポート部分３ａのストッパについて説明したが、端部サポート部分３ｂのストッパ１０についても全く同じである。端部サポート部分３ｂのストッパ１０は、図示を略すが、端部サポート部分３ｂの板面に、端部折曲線４ｂと平行に引かれた第１の切り込み線と、該第１の切り込み線の両端位置に対応してフレーム２の板面から端を発し、前記第１の切り込み線に達する第２の切り込み線とによって三方が囲まれ、フレーム２側から端部サポート部分３ｂ側に張り出して形成される。この実施例において、ストッパ１０は、フレーム２と両側部サポート部分３ａ又は両端部サポート部分３ｂとのつなぎの部分の強度を確保したうえで、フレーム２の各辺に一定間隔を置いて数箇所設けられている。この実施例では、フレーム２の長辺側及び短辺側にそれぞれ一定間隔を置いて３箇所にストッパ１０を形成した例を示している。
【００１８】
次に本発明の梱包具を用いて物品を梱包する要領を説明する。本発明の梱包具は、対の組立体を組み合わせて構成するものである。次に組立体の組立要領を説明する。図３（ａ）において、まず、切り込み線によって三方が囲まれたストッパ１０の部分を残してベースボード１の両側部サポート部分３ａ、３ａを両側部折曲線４ａ、４ａで同方向に折曲して直角に起立させる。側部サポート部分３ａを起立させることによって、その両端の連結部分３ｃも一体に起立する。側部サポート部分３ａをベースボード１のフレーム２に対して直角に起立させると、側部サポート部分３ａに貼り付けられたフィルム６の弾性が側部サポート部分３ａに作用し、これを平板に戻そうとする力が働くが、図２に示したように側部折曲線４ａ上に開口される隙間内にストッパ１０が張り出し、段ボール紙の紙面と、その有する弾性作用によって、隙間内に臨む側部サポート部分３ａの端縁を支え、側部サポート部分３ａを折り曲げ姿勢のままにとどめる。
【００１９】
ついで、図３（ｂ）のように、側部サポート部分３ａの両端の連結部分３ｃを折曲線４ｃで直角に、向き合わせに折り返す。さらに、図３（ｃ）に示すように端部折曲線４ｂで端部サポート部分３ｂを直角に折り返し、その内面を連結部分３ｃの外面に重ね合せる。この場合にも、前記同様に、端部折曲線４ｂ上に開口される隙間内にストッパ１０が張り出して隙間内に臨む端部サポート部分３ｂの基端を支えてこれを折り曲げ姿勢のままに支える。
【００２０】
次いで、図３（ｄ）に示すように、連結部分３ｃの嵌合溝８の位置に対応して設けられた舌状部９を端部サポート部分３ｂの板面につながる基部を軸として嵌合溝８の台形の開口内にほぼ水平姿勢に倒し、舌状部９の両側縁を嵌合溝８の内壁で支え、斜面の楔作用で舌状部９を嵌合溝８に保持させ、端部サポート部分３ｂを連結部分３ｃを介して側部サポート部３ａに連結し、フレーム２の両側及び両端に一定高さの周壁を形成して箱型の組立体１２に組立てる。
【００２１】
図３（ｅ）において、上記操作によって、組立てられた対をなす組立体１２ｕ、１２ｄのフレーム２，２同士を上下に向き合わせ、下側の組立体１２ｄのフレーム２に貼り渡されたフィルム６の面に収納すべき物品１３を置き、その上方から上側の組立体１２ｕを押し下げて両フレーム２，２のフィルム６、６間に物品１３をはさみ、両組立体１２ｕ、１２ｄのフレーム２，２が互いに接触する位置まで押し付けてこれを外箱１４内に格納し、外箱１４を蓋１５で施蓋し、蓋１５を粘着テープで封止して物品１３の梱包を完了する。
【００２２】
外箱１４内では、図４に示すように下側の組立体１２ｄのサポート部分を形成する周壁が外箱１４の底１６に支えられ、上側の組立体１２ｕのサポート部分を形成する周壁が外箱１４の蓋１５に支えられ、且つ両組立体１２ｕ、１２ｄのフレーム２，２のベースボードの平面が互いに密着し、物品１３は、両組立体１２ｕ、１２ｄのフィルム６，６の弾性によって安定に支えられる。
【００２３】
以上のように本発明においては、最初に側部サポート部分３ａ、３ａをフレーム２の平面に対して直角に折り曲げたときに、ストッパ１０が側部サポート部分３ａの底の隙間内からさらに板面上に張り出してフィルム６の反発力による側部サポート部分３ａ、３ａの戻りを阻止して折り曲げ姿勢を保持させるため、両側部サポート部分３ａ、３ａを折り曲げ姿勢に保たせたまま次の動作である連結部分３ｃの折り曲げの操作、引き続く端部サポート部分３ｂの折り曲げの操作に際して側部サポート部分３ａ、３ａを支えている必要がない。
【００２４】
さらには、端部サポート部分３ｂの折り曲げ後、舌状部９を嵌合溝８内に折り曲げる操作の際にも、端部サポート部分３ｂはストッパ１０に支えられてフィルム６の反発力の作用を阻止するため、後の操作が容易となり、組立体を短時間で組み立てることができ、ひいては宅配の作業能率を向上できる。
【００２５】
また、ストッパ１０は、組立体の組み立て作業時に側部および端部サポート部分を保持するだけでなく、サポート部分の折り曲げに伴って、側部サポート部分３ａの隙間内から外方に張り出したストッパ１０の一部は、フィルム６をフレーム２の両側方向に緊張させ、また端部サポート部分３ｂの隙間内から外方に張り出したストッパ１０の一部は、フィルム６をフレーム２の前後方向に緊張させるため、対の組立体１２ｕ，１２ｄ間で物品１３を緊締し、外箱１４内に安定に梱包することが可能となる。また、フレーム２に張り渡すフィルム６に透明フィルムを用いることによって、外箱１４内に梱包される物品１３の梱包の状態を組立体の上方（又は下方）から確認することができる。
【産業上の利用可能性】
【００２６】
本発明による梱包具は、物品の宅配用梱包具として活用するだけにとどまらず、特に破損しやすい物品の輸送用、保管用の梱包具として広く利用することができる。
【図面の簡単な説明】
【００２７】
【図１】本発明の梱包具に組立てるベースボードを示すもので、（ａ）は、フィルムを貼り付けた側から視たベースボードの斜視図、（ｂ）は（ａ）の反対側から視たベースボードの斜視図、（ｃ）は（ａ）のアーア線断面図である。
【図２】（ａ）は、側部サポート部分がストッパによって折り曲げ姿勢に保持されている状態を示す梱包具の要部の平面図、（ｂ）は（ａ）のイーイ線断面図である。
【図３】（ａ）〜（ｅ）は、ベースボードを梱包具に組立てる手順と、本発明の梱包具を用いて物品を梱包する要領を示す図である。
【図４】本発明の梱包具を用いて外箱内に物品を格納した状態を示す断面図である。
【図５】従来の梱包具による物品の梱包要領を示す図である。
【図６】従来の梱包具を用いて外箱内に物品を格納した状態を示す図である。
【符号の説明】
【００２８】
１  ベースボード
２  フレーム
３ａ  側部サポート部分
３ｂ  端部サポート部分
３ｃ  連結部分
４ａ  側部折曲線
４ｂ  端部折曲線
４ｃ  折曲線
５  開口
６  フィルム
７  切込み
８  嵌合溝
９  舌状部
１０  ストッパ
１１ａ  第１の切り込み線
１１ｂ  第２の切り込み線
１２、１２ｕ、１２ｄ  組立体
１３  物品
１４  外箱
１５  蓋
１６  底
【図１】
2008260559.tif 000003
【図２】
2008260559.tif 000004
【図３】
2008260559.tif 000005
【図４】
2008260559.tif 000006
【図５】
2008260559.tif 000007
【図６】
2008260559.tif 000008